(57)【特許請求の範囲】
【請求項１】
漏斗状を呈するホッパと、ホッパの喉部に設けられて上側がホッパ内に突出すべく出没俯仰可能な扇形を呈する押下体と、ホッパに設けられて押下体を俯仰させる押下体駆動機と、ホッパに密封状態で設けられて押下体を収納する押下体収納箱と、押下体の下方に位置するホッパに設けられて下側がホッパ内に突出すべく出没俯仰可能な板状を呈する押上体と、ホッパに設けられて押上体を俯仰させる押上体駆動機と、から構成し、押下体と押上体に依りホッパの喉部に架橋されたごみをサンドウィッチ状に挾圧する事を特徴とするごみ投入ホッパのブリッジ除去装置。
【発明の詳細な説明】
【０００１】
【発明の属する技術分野】
本発明は、例えばごみ焼却炉のごみ投入ホッパに適用されるブリッジ除去装置の改良に関する。
【０００２】
【従来の技術】
ごみ焼却炉のごみ投入ホッパ（以下単にホッパという場合もある）に於ては、ごみ質の変化（低比重、高カロリ）及び炉内シール性を向上させる為に首長タイプに変更されて来ている。この為、大型ごみが投入された場合には、ホッパ内でブリッジ（架橋）が発生してごみの定量供給性が損なわれ、安定燃焼にも悪影響を及ぼしていた。ブリッジそのものは、従来型のごみ投入ホッパでも発生して居り、以前から問題となっていたが、近年にあっては、ダイオキシン対策として安定燃焼が特に厳しく求められている為、このダイオキシン対策もより確実なものにする必要が生じて来ている。
【０００３】
ところで、この種のブリッジ除去装置としては、例えば図２に示したもの（特公昭５２−３１１１０号参照）や図３に示したもの（特開平２−２５４２１３号、特公平５７−３５４４号参照）が知られている。
前者のブリッジ除去装置５０は、基本的には、漏斗状を呈するホッパ５１と、ホッパ５１の喉部に向けて進退移動可能な棒状の銛（もり）状体５２と、銛状体５２を進退させる銛状体駆動機とから構成されて居り、銛状体５２をごみＡ中に挿入する事に依りブリッジを除去する様になっている。
後者のブリッジ除去装置６０は、基本的には、漏斗状を呈するホッパ６１と、ホッパ６１の喉部に設けられて下側がホッパ６１内に突出すべく出没俯仰可能な板状を呈する押上体６２と、ホッパ６１に設けられて押上体６２を俯仰させる押上体駆動機６３とから構成されて居り、押上体６２に依りごみＡを圧縮した後にこの圧縮を解除する事に依りブリッジを除去する様になっている。
【０００４】
【発明が解決しようとする課題】
ところが、前者のものは、部分的な除去しかできなかったり、ごみ層に穴が開くだけの効果しかなかったり、銛状体が細長いものであるので、ごみの圧力で曲がったりする事もあった。又、基本的に現場にて確認しながらの操作となる為、作業環境上の安全や衛生上の問題もあった。
他方、後者のものは、押上体に依りごみが押し上げられながら圧縮されるので、押上体より上方で発生したブリッジに対しては効果が出なかった。この為、ブリッジの除去が充分でなく、安定燃焼に悪影響を及ぼす惧れがあった。又、押上体に依りごみを圧縮した後に押上体を元に戻さないと、圧縮されたごみが下方に排出されないので、ブリッジの除去効率が悪かった。
要するに、何れのものも、ブリッジの除去能力が芳しくなかった。
【０００５】
本発明は、叙上の問題に鑑み、これを解消すべく創案されたもので、その課題とする処は、ブリッジの除去能力を飛躍的に向上する事ができるごみ投入ホッパのブリッジ除去装置を提供するにある。
【０００６】
【課題を解決するための手段】
本発明のブリッジ除去装置は、基本的には、漏斗状を呈するホッパと、ホッパの喉部に設けられて上側がホッパ内に突出すべく出没俯仰可能な扇形を呈する押下体と、ホッパに設けられて押下体を俯仰させる押下体駆動機と、ホッパに密封状態で設けられて押下体を収納する押下体収納箱と、から構成した事に特徴が存する。
【０００７】
押下体駆動機が作動されると、押下体が俯仰回動されてホッパの喉部に架橋されたごみが上から押し下げられて加圧される事に依り排除され、ブリッジが除去される。
押下体に依りブリッジを下圧する様にしたので、押下体を元に戻す事なく、ブリッジをそのまま下方に排出する事ができる。押下体は、扇形を呈して所謂ブロック状であるので、ごみの圧力に依り変形したり損傷したりする事がない。この為、ブリッジの除去能力を飛躍的に向上する事ができる。
押下体は、扇形を呈して上側がホッパ内に突出すべく出没俯仰可能に設けられているので、ごみの流下に支障を与えないと共に、ホッパとのシールが行ない易く、ホッパとの間にごみを噛み込んだり、押下体収納箱内にごみを引き込んだりする事がない。つまり、押下体は、その上面が円弧状であるので、俯伏回動してホッパ内に突出した時には、この上からのごみが下方に円滑に流れると共に、仰起回動してホッパ内に没入した時には、ごみを一緒に押下体収納箱内に引き込む事がない。
押下体収納箱を設けているので、ホッパからのごみ汚汁や臭気等が外部に漏れる心配がない。
ごみ投入ホッパ内で発生したブリッジを確実且つ効率的に除去できるので、ごみの安定燃焼を継続できると共に、ごみの不安定燃焼に伴って発生するダイオキシンを抑制できる。
【０００８】
押下体の下方に位置するホッパに設けられて下側がホッパ内に突出すべく出没俯仰可能な板状を呈する押上体と、ホッパに設けられて押上体を俯仰させる押上体駆動機とを備えているのが好ましい。この様にすれば、押下体と押上体に依りホッパの喉部に架橋されたごみを所謂サンドウィッチ状に挾圧する事ができるので、ブリッジの除去効果を倍化できると共に、広範囲に亘って確実にブリッジを除去できる。
【０００９】
【発明の実施の形態】
以下、本発明の実施の形態を、図面に基づいて説明する。
図１は、本発明のブリッジ除去装置の概要を示す縦断側面図である。
【００１０】
ブリッジ除去装置１は、ホッパ２、押下（おしさげ）体３、押下体駆動機４、押下体収納箱５、押上（おしあげ）体6、押上体駆動機７、押上体収納箱８とからその主要部が構成されて居り、ごみ焼却炉に適用される。
【００１１】
ホッパ２は、漏斗状を呈するもので、この例では、鉛直状の前壁（図１に於て左が前）９と、左右の側壁１０と、前壁９に対して所定角度（略５０度）に傾斜した後壁１１とを備えて居り、上部には、投入口１２が形成されてクレーンに依りごみＡを容易に投入できる様になっている。
【００１２】
押下体３は、ホッパ２の喉部に設けられて上側がホッパ２内に突出すべく出没俯仰可能な扇形を呈するもので、この例では、ホッパ２の前壁９側に設けられて居り、鋼板に依り作製されている。押下体３は、断面が所定角度（略６０度）の扇形を呈して居り、その要（かなめ）部分には左右方向に水平な支軸１３を備えていると共に、左右方向の横幅がホッパ２の前壁９の横幅と略同寸法にされている。つまり、ホッパ２の喉部の前壁９には、押下体３が通過可能な開口１４が穿設してあり、押下体３は、要部分が下になると共に、後面がホッパ２の前壁９と面一になる様に配されている。押下体３の円弧状の上面と支軸１３とは、同心円状を為していると共に、支軸１３は、図略しているが、ホッパ２や押下体収納箱５等の固定側に回転可能に支持されている。
【００１３】
押下体駆動機４は、ホッパ２に設けられて押下体３を俯仰させるもので、この例では、押下体３の支軸１３に設けられたアーム１５と、これを回動させる油圧や電動等のシリンダ１６とを備えている。シリンダ１６は、図略しているが、ホッパ２等の固定側に支持されている。
【００１４】
押下体収納箱５は、ホッパ２に密封状態で設けられて押下体３を収納するもので、この例では、後方が開放した立方状を呈して押下体３を収納できる大きさを備え、ホッパ２の開口１４を閉塞すべく前壁９に取付けられている。
【００１５】
押上体６は、押下体３の下方に位置するホッパ２に設けられて下側がホッパ２内に突出すべく出没俯仰可能な板状を呈するもので、この例では、ホッパ２の前壁９側に設けられて居り、鋼板に依り作製されている。押上体６は、板状を呈して居り、上部には左右方向に水平な支軸１７を備えていると共に、左右方向の横幅がホッパ２の前壁９の横幅と略同寸法にされている。つまり、ホッパ２の喉部の前壁９には、押上体６が通過可能な開口１８が穿設してあり、押下体６は、後面がホッパ２の前壁９と面一になる様に配されている。支軸１７は、図略しているが、ホッパ２や押上体収納箱８等の固定側に回転可能に支持されている。
【００１６】
押上体駆動機７は、ホッパ２に設けられて押上体６を俯仰させるもので、この例では、押上体６を直接回動させる油圧や電動等のシリンダにしてある。シリンダは、図略しているが、ホッパ２等の固定側に支持されている。
【００１７】
押上体収納箱８は、ホッパ２に密封状態で設けられて押上体６を収納するもので、この例では、後方が開放した立方状を呈して押上体６を収納できる大きさを備え、ホッパ２の開口１８を閉塞すべく前壁９に取付けられている。
【００１８】
次に、この様な構成に基づいて作用を述解する。
押下体駆動機４のシリンダ１６が伸長作動されると、アーム１５を介して押下体３が支軸１３を中心に図１に於て時計方向に俯伏回動され、鎖線で示す加圧位置にされる。そうすると、ホッパ２の喉部に架橋されたごみＡは、押下体３に依り上から押し下げられて加圧されるので、ホッパ２の喉部から下方へ排出され、ブリッジが除去される。この時、押下体３の上面は、円弧状であるので、上からのごみＡが円滑に下方に流下される。
押下体駆動機４のシリンダ１６が短縮作動されると、アーム１５を介して押下体３が支軸１３を中心に図１に於て反時計方向に仰起回動されて実線で示す格納位置に戻される。この時、押下体３の加圧面となる後面は、ホッパ２の前壁９と面一になるので、ホッパ２内のごみＡの流下が妨げられる事がない。
【００１９】
押下体３に依りブリッジを下圧する様にしたので、押下体３を元に戻す事なく、ブリッジをそのまま下方に排出する事ができる。押下体３は、扇形を呈して所謂ブロック状であるので、ごみＡの圧力に依り変形したり損傷したりする事がない。この為、ブリッジの除去能力を飛躍的に向上する事ができる。
【００２０】
押上体駆動機７であるシリンダが伸長作動されると、押上体６が支軸１７を中心に図１の反時計方向に仰起回動されて鎖線で示す加圧位置にされる。そうすると、ホッパ２の喉部に架橋されたごみＡは、押上体６に依り下から押し上げられて加圧されるので、ホッパ２の後壁１１に押し付けられて圧縮される。そして、押上体駆動機７であるシリンダが短縮作動されると、押上体６が支軸１７を中心に図１の時計方向に俯伏回動されて実線で示す収納位置に戻されるので、圧縮されたごみＡが下方へ落下して排出され、ブリッジが除去される。この時、押上体６の加圧面となる後面は、ホッパ２の前壁９と面一になるので、ホッパ２内のごみＡの流下が妨げられる事がない。
押上体６は、上部の支軸１７を支点として俯仰回動されるので、加圧位置にされても、ごみＡが傾斜された押上体６に沿って円滑に流下され、ごみＡが押上体収納箱８へ侵入する惧れがない。
【００２１】
而して、押下体３が俯伏回動されると共に、押上体６が仰起回動されると、ホッパ２の喉部に架橋されたごみＡが両者に依り所謂サンドウィッチ状に挾圧されるので、ブリッジの除去効果が倍化されると共に、広範囲に亘って確実にブリッジが除去される。
【００２２】
押下体３は、扇形を呈して上側がホッパ２内に突出すべく出没俯仰可能に設けられているので、ごみＡの流下に支障を与えないと共に、ホッパ２とのシールが行ない易く、ホッパ２との間にごみＡを噛み込んだり押下体収納箱５内にごみＡを引き込んだりする事がない。
押下体収納箱５と押上体収納箱８を設けているので、ホッパ２からのごみ汚汁や臭気等が外部に漏れる心配がない。
ホッパ２内で発生したブリッジを確実且つ効率的に除去できるので、ごみＡの安定燃焼を継続できると共に、ごみＡの不安定燃焼に伴って発生するダイオキシンを抑制できる。
【００２３】
尚、ブリッジ除去装置１は、先の例では、ごみ投入ホッパ２に適用したが、これに限らず、例えばその他のホッパに適用しても良い。
押下体駆動機４は、先の例では、アーム１５とシリンダ１６とを備えて支軸１３を回動させるものであったが、これに限らず、例えば押上体駆動機７の如く、押下体3を直接回動させるシリンダであっても良い。
押上体駆動機７は、先の例では、押上体６を直接回動させるシリンダであったが、これに限らず、例えば押下体駆動機４の如く、アームとシリンダとを備えて支軸１７を回動させるものでも良い。
【００２４】
【発明の効果】
以上、既述した如く、本発明に依れば、次の様な優れた効果を奏する事ができる。
（１）  ホッパ、押下体、押下体駆動機、押下体収納箱とで構成し、とりわけ上側がホッパ内に突出すべく出没俯仰可能な扇形を呈する押下体をホッパの喉部に設け、所謂押下体をブロック状にしてホッパ内のブリッジを直接下圧して排出する様にしたので、ブリッジの除去能力を飛躍的に向上させる事ができる。その結果、ごみの安定燃焼を継続できると共に、ダイオキシンの発生を抑制する事ができる。
（２）  押下体収納箱を設けたので、ホッパからのごみ汚汁や臭気が外部に漏れる惧れがない。この為、極めて衛生的である。
【図面の簡単な説明】
【図１】本発明のブリッジ除去装置の概要を示す縦断側面図。
【図２】従来のブリッジ除去装置の概要を示す縦断側面図。
【図３】従来の他のブリッジ除去装置の概要を示す縦断側面図。
【符号の説明】
１，５０，６０…ブリッジ除去装置、２，５１，６１…ホッパ、３…押下体、４…押下体駆動機、５…押下体収納箱、６，６２…押上体、７，６３…押上体駆動機、８…押上体収納箱、９…前壁、１０…側壁、１１…後壁、１２…投入口、１３，１７…支軸、１４，１８…開口、１５…アーム、１６…シリンダ、１８…開口、５２…銛状体、Ａ…ごみ。
【図１】
0003921403.tif 000002
【図２】
0003921403.tif 000003
【図３】
0003921403.tif 000004